(57)【要約】【課題】所望する番組を容易に探すことが可能であり、操作性が向上すると共に、異なる複数のメディアの番組を容易に表示させる情報処理装置、情報処理方法およびプログラムを提供すること。【解決手段】本発明の情報処理装置３０は、それぞれの放送局１０から発せられる番組の放送波に重畳されているそれぞれの番組データを記憶する記憶部４２と、記憶部４２に記憶されている番組データのうち、時間情報と番組タイトル情報とに基づいて、時間情報が示す時間順に番組タイトル情報に基づく番組タイトル表示Ｓ２が並ぶ状態で表示部位に表示させるための番組表情報を作成する番組表作成手段３３と、を具備している。【選択図】図３
2011010130.tif 000002
【特許請求の範囲】
【請求項１】
それぞれの放送局から発せられる番組の放送波に重畳されているそれぞれの番組データを記憶する記憶部と、
上記記憶部に記憶されている番組データのうち、時間情報と番組タイトル情報とに基づいて、上記時間情報が示す時間順に上記番組タイトル情報に基づく番組タイトル表示が並ぶ状態で表示部位に表示させるための番組表情報を作成する番組表作成手段と、
を具備することを特徴とする情報処理装置。
【請求項２】
請求項１に記載されている情報処理装置において、
前記時間情報は、前記番組の開始時間情報であり、
前記番組表作成手段は、前記番組の開始時間順に前記番組タイトル表示が並ぶ状態で、前記表示部位に表示させるための前記番組表情報を作成する、
ことを特徴とする情報処理装置。
【請求項３】
請求項２記載の情報処理装置において、
前記番組表情報は、
所定の単位時間ごとに区切られ、かつ前記時間順と同じ向きに並んで前記表示部位に表示される開始時間単位欄と、
前記開始時間情報と前記番組タイトル情報とを前記時間順とは異なる向きに並んだ状態で前記表示部位に表示される番組情報欄と、
を有することを特徴とする情報処理装置。
【請求項４】
請求項３記載の情報処理装置において、
前記番組表作成手段は、異なる時間に放送される番組または同じ時間に放送される番組の前記開始時間情報と前記番組タイトル情報とを、前記番組情報欄において字下げして前記表示部位に表示させる前記番組表情報を作成する、
ことを特徴とする情報処理装置。
【請求項５】
請求項１から４のいずれか１項に記載の情報処理装置において、
前記番組表作成手段は、前記番組データに含まれるその番組の属性を示す情報に基づいて特定の属性の前記番組データのみを抽出し、当該抽出された前記番組データから前記番組表情報を作成する、
ことを特徴とする情報処理装置。
【請求項６】
請求項１から５のいずれか１項に記載の情報処理装置において、
前記番組表作成手段は、前記開始時間情報が示す放送の開始時間が同じである複数の前記番組に関しては、それぞれの番組に関する前記開始時間情報と前記番組タイトル情報とを前記時間順とは異なる向きに並んだ状態で前記表示部位に表示させる前記番組表情報を作成する、
ことを特徴とする情報処理装置。
【請求項７】
請求項１から６のいずれか１項に記載の情報処理装置において、前記番組表作成手段は、それぞれの日付ごとの前記番組表情報を日付順に並べて日付順番組表情報を作成する、
ことを特徴とする情報処理装置。
【請求項８】
それぞれの放送局から発せられる番組の放送波に重畳されているそれぞれの番組データを記憶部に記憶させる記憶ステップと、
上記記憶部に記憶されている番組データのうち、時間情報と番組タイトル情報とに基づいて、上記時間情報が示す時間順に上記番組タイトル情報に基づく番組タイトル表示が並ぶ状態で表示部位に表示させるための番組表情報を作成する番組表作成ステップと、
を具備することを特徴とする情報処理方法。
【請求項９】
それぞれの放送局から発せられる番組の放送波に重畳されているそれぞれの番組データを記憶部に記憶させる記憶手順と、
上記記憶部に記憶されている番組データのうち、時間情報と番組タイトル情報とに基づいて、上記時間情報が示す時間順に上記番組タイトル情報に基づく番組タイトル表示が並ぶ状態で表示部位に表示させるための番組表情報を作成する番組表作成手順と、
を情報処理装置に実行させるためのプログラム。
【発明の詳細な説明】
【技術分野】
【０００１】
本発明は、情報処理装置、情報処理方法およびプログラムに関する。
【背景技術】
【０００２】
テレビ受信装置等においては、受信する電波から放送番組表に関する情報を取得することが可能となっていて、当該テレビ受信装置等は、取得した放送番組表を表示することを可能としている。ところで、テレビ受信装置等における放送番組表を表示させる手法としては、たとえば、縦軸を時間軸とし、横軸に放送局が並ぶ状態としている。このため、表示される放送番組表は、放送局毎の時系列番組表の集合となっている。
【０００３】
このような放送番組表を表示する技術内容としては、特許文献１および特許文献２に開示されているものがある。
【先行技術文献】
【特許文献】
【０００４】
【特許文献１】特開平０９−２９８６９８号公報
【特許文献２】特開２００６−３１３９４８号公報
【発明の概要】
【発明が解決しようとする課題】
【０００５】
上述の特許文献１および特許文献２に開示されているような放送番組表においては、横軸に沿って放送局が並んでいる。そのため、番組を探す場合には、どの放送局で放送される番組であるのかを認識しておく必要がある。すなわち、放送番組表から番組を探す場合、放送局を意識する必要があり、加えて放送される放送局が分からない場合には、お目当ての番組が探し難いという問題がある。
【０００６】
また、上述の特許文献１および特許文献２に開示されているような放送番組表は、たとえば、テレビ番組の表示を前提としているが、たとえばテレビ番組とラジオ番組というような、異なる複数のメディアを混在させて表示させることは難しくなっている。
【０００７】
さらに、テレビ番組であっても、たとえば地デジ、ＢＳ（Broadcasting Satellite）放送、ＣＳ（Communication Satellite）放送というように、複数のサービスを扱う場合、放送局数が多くなる。そのため、現状の放送番組表においては、縦横のスクロールを多用することになったり、地デジのみ、またはＢＳ放送のみというように表示するサービスを切り替える等する必要があり、操作が煩雑なものとなる。
【０００８】
以上のような問題は、据え置き型のテレビ受信装置において放送番組表を視認する場合にも生じるが、たとえばポータブル型のテレビ受信装置においては、画面サイズが限られているため、上記の問題が顕著に生じる。
【０００９】
本発明は上記の事情にもとづきなされたもので、その目的とするところは、所望する番組を容易に探すことが可能であり、操作性が向上すると共に、異なる複数のメディアの番組を容易に表示させることが可能な情報処理装置、情報処理方法およびプログラムを提供しよう、とするものである。
【課題を解決するための手段】
【００１０】
上記課題を解決するために、本発明の情報処理装置の第１の側面は、それぞれの放送局から発せられる番組の放送波に重畳されているそれぞれの番組データを記憶する記憶部と、記憶部に記憶されている番組データのうち、時間情報と番組タイトル情報とに基づいて、時間情報が示す時間順に番組タイトル情報に基づく番組タイトル表示が並ぶ状態で表示部位に表示させるための番組表情報を作成する番組表作成手段と、を具備するものである。
【００１１】
また、本発明の情報処理装置の他の側面は、上述の発明において、時間情報は、番組の開始時間情報であり、番組表作成手段は、番組の開始時間順に番組タイトル表示が並ぶ状態で、表示部位に表示させるための番組表情報を作成することが好ましい。
【００１２】
さらに、本発明の情報処理装置の他の側面は、上述の発明において、番組表情報は、所定の単位時間ごとに区切られ、かつ時間順と同じ向きに並んで表示部位に表示される開始時間単位欄と、開始時間情報と番組タイトル情報とを時間順とは異なる向きに並んだ状態で表示部位に表示される番組情報欄と、を有することが好ましい。
【００１３】
また、本発明の情報処理装置の他の側面は、上述の発明において、番組表作成手段は、異なる時間に放送される番組または同じ時間に放送される番組の開始時間情報と番組タイトル情報とを、番組情報欄において字下げして表示部位に表示させる番組表情報を作成することが好ましい。
【００１４】
さらに、本発明の情報処理装置の他の側面は、上述の発明において、番組表作成手段は、番組データに含まれるその番組の属性を示す情報に基づいて特定の属性の番組データのみを抽出し、当該抽出された番組データから番組表情報を作成することが好ましい。
【００１５】
また、本発明の情報処理装置の他の側面は、上述の発明において、番組表作成手段は、開始時間情報が示す放送の開始時間が同じである複数の番組に関しては、それぞれの番組に関する開始時間情報と番組タイトル情報とを時間順とは異なる向きに並んだ状態で表示部位に表示させる番組表情報を作成することが好ましい。
【００１６】
さらに、本発明の情報処理装置の他の側面は、上述の発明において、番組表作成手段は、それぞれの日付ごとの番組表情報を日付順に並べて日付順番組表情報を作成することが好ましい。
【００１７】
また、本発明の情報処理方法は、それぞれの放送局から発せられる番組の放送波に重畳されているそれぞれの番組データを記憶部に記憶させる記憶ステップと、記憶部に記憶されている番組データのうち、時間情報と番組タイトル情報とに基づいて、時間情報が示す時間順に番組タイトル情報に基づく番組タイトル表示が並ぶ状態で表示部位に表示させるための番組表情報を作成する番組表作成ステップと、を具備することが好ましい。
【００１８】
さらに、本発明のプログラムは、それぞれの放送局から発せられる番組の放送波に重畳されているそれぞれの番組データを記憶部に記憶させる記憶手順と、記憶部に記憶されている番組データのうち、時間情報と番組タイトル情報とに基づいて、時間情報が示す時間順に番組タイトル情報に基づく番組タイトル表示が並ぶ状態で表示部位に表示させるための番組表情報を作成する番組表作成手順と、を情報処理装置に実行させることが好ましい。
【発明の効果】
【００１９】
本発明によると、所望する番組を容易に探すことが可能であり、操作性が向上すると共に、異なる複数のメディアの番組を容易に表示させることが可能となる。
【図面の簡単な説明】
【００２０】
【図１】本発明の一実施の形態に係る情報配信システムの全体構成を示す図である。
【図２】図１に示す放送局が有する放送送信装置の構成を示すブロック図である。
【図３】図１に示す方送受信装置の構成を示すブロック図である。
【図４】映像出力部に表示される番組表表示の一例を示す図である。
【図５】図４の番組表表示において、Ｙ軸に沿ってスクロールさせた状態を示す図である。
【図６】図４の番組表表示の変形例であり、字下げ部が設けられている番組表表示の一例を示す図である。
【図７】図４の番組表表示の変形例であり、特定のジャンルで絞り込んだ状態の番組表表示の一例を示す図である。
【図８】図４の番組表表示の変形例であり、同一開始時間のセル表示がＸ軸方向に並んで設けられている番組表表示の一例を示す図である。
【図９】図４の番組表表示の変形例であり、日付ごとの番組情報欄が日付順にＸ軸方向に沿って並べられている番組表表示の一例を示す図である。
【図１０】図４の番組表表示の変形例であり、図６に示す番組表表示の番組情報欄が、日付順にＸ軸方向に沿って並べられている番組表表示の一例を示す図である。
【図１１】従来の番組表表示の一例を示す図である。
【発明を実施するための形態】
【００２１】
以下、本発明の一実施の形態に係る、情報表示装置および情報表示方法について、各図に基づいて説明する。
【００２２】
＜構成について＞
＜情報配信システム１の全体構成＞
まず、本発明の一実施の形態に係る情報配信システム１について説明する。図１は、本発明の第１実施形態に係る情報配信システム１の全体構成を示すシステム構成図である。図１に示すように、情報配信システム１は、放送局１０と、放送受信装置３０（情報処理装置に対応）とを有している。なお、図１には、１つの放送局１０および２つの放送受信装置３０を図示したが、情報配信システム１には、複数の放送局１０および３以上の放送受信装置３０を有してもよい。
【００２３】
放送局１０は、放送スケジュールに沿って放送番組用のコンテンツをストリームデータとして送出する。しかしながら、放送局１０の中には、複数の放送局１０で放送されるＥＰＧ情報を送信するサービスを専門に行っているものが存在していても良い。
【００２４】
放送番組用のコンテンツをストリームデータとして送出する放送局１０には、デジタル放送を放送するものと、アナログ放送を放送するものとがある。放送局１０から送出されるデジタル放送の放送電波には、たとえばＩＳＤＢ（Integrated Service Digital Broadcasting）方式（日本方式）のものや、ＡＴＳＣ（Advanced Television Systems Comittee）方式（アメリカ方式）のもの、ＤＶＢ−Ｔ（Digital Video Broadcasting）方式（欧州方式）のものなどがある。
【００２５】
また、ＩＳＤＢ方式には、衛星放送用のＩＳＤＢ−Ｓ方式、地上波デジタル放送用のＩＳＤＢ−Ｔ方式、地上デジタル音声放送用のＩＳＤＢ−ＴＳＢ方式、ケーブルテレビ向けのＩＳＤＢ−Ｃ方式などがある。
【００２６】
また、デジタル放送を放送する放送局１０には、地上デジタルテレビジョン放送を送信するものと、衛星テレビジョン放送を受信するものと、有線放送を行うためのケーブルテレビ局と、ラジオ放送とを送信するものとがそれぞれ設けられている。また、放送局１０のうち、衛星テレビジョン放送を受信するものの中には、ＢＳ（Broadcasting Satellite）デジタルテレビジョン放送を送信するものと、ＣＳ（Communication Satellite）デジタルテレビジョン放送を送信するものと、デジタル変調方式のラジオ放送を送信するものとが存在する。また、デジタル変調方式のラジオ放送には、衛星デジタル音声放送を用いるものと、地上デジタル音声放送を用いるものがあるが、衛星デジタル音声放送を用いるものの中には、ＢＳデジタル音声放送を用いるものと、ＣＳデジタル音声放送を用いるものとがある。
【００２７】
同様に、アナログ放送を放送する放送局１０には、地上アナログテレビジョン放送を送信するものと、ＢＳアナログテレビジョン放送を受信するものと、ＣＳアナログテレビジョン放送を受信するものと、有線放送を行うためのケーブルテレビ局と、アナログ変調方式のラジオ放送を送信するものとが存在する。アナログ変調方式のラジオ放送には、振幅変調（ＡＭ）方式を用いるものと、周波数変調（ＦＭ）方式を用いるものとがある。
【００２８】
しかしながら、放送局１０は、これら以外の放送を送信するもの（たとえば、ケーブルテレビジョンを利用するもの、地上アナログ放送を利用するもの、いわゆるワンセグという、地上デジタルテレビジョン放送のうちの携帯電話・移動体端末向けの1セグメント部分受信サービス等）であっても良い。
【００２９】
また、放送局１０は、放送波にデータ放送、ＥＰＧ（Electronic Program Guide）情報を重畳して送出することができる放送送信装置１１（図２参照）を有している。また、放送受信装置３０は、放送局１０の放送送信装置１１からの放送波を受信し、受信した放送番組の映像、音声出力やＥＰＧ情報の出力を行う。
【００３０】
＜放送送信装置の構成＞
図２は、図１に示す放送局１０のうち、たとえば地上デジタルテレビジョン放送を送信する放送局１０が有する放送送信装置１１の構成を示すブロック図である。図２に示すように、放送送信装置１１は、制御部１２、コンテンツストリーム作成部１３、ＥＰＧ情報作成部１４、ＭＵＸ（MUltipleXer）部１６、放送用コンテンツデータベース（以下データベースをＤＢと記す）１７、放送スケジュールＤＢ１８を主要な構成要素としている。
【００３１】
ここで、上述したコンテンツストリーム作成部１３、ＥＰＧ情報作成部１４、ＭＵＸ部１６の各機能が実現する情報処理は、放送送信装置１１全体を制御する制御部１２がハードウェア資源と協働して実行することにより実現される。具体的には、制御部１２は、不図示のハードウェア資源であるＣＰＵ(Central Processing Unit)などから構成され、ＣＰＵが不図示のＲＯＭ(Read Only Memory)に格納されている各種プログラムを不図示のＲＡＭ(Random  Access Memory)に読み出して協働して実行することにより実現している。また、上述した放送用コンテンツＤＢ１７、放送スケジュールＤＢ１８は不図示の記憶部に記憶されており、記憶部は、たとえばＨＤＤ（Hard Disc Drive）やフラッシュメモリなどから構成される。
【００３２】
コンテンツストリーム作成部１３は、放送用コンテンツＤＢ１７を参照して放送用コンテンツを作成する。なお、本実施例において、放送用コンテンツは、ＭＰＥＧ２−ＴＳ（Motion Photographic Coding Experts Group-2 Transport Stream）規格に準拠して符号化及び多重化されているものとして説明する。ＭＰＥＧ２−ＴＳ規格では、伝送されるコンテンツの映像及び音声等は、符号化されたＥＳ（Elementary Stream）として生成され、ＥＳを意味のある単位毎にパケット化されたＰＥＳ（Packetized Elementary Stream）が生成される。さらに、ＰＥＳを分割したＴＳ（Transport Stream）パケットが、放送局１０から伝送される。しかしながら、放送用コンテンツは、ＭＰＥＧ２−ＴＳ以外の他の規格に準拠したものとしても良い。
【００３３】
また、各ＴＳパケットのヘッダにＰＩＤと呼ばれる１３ビットのパケット識別子を付与することにより、各ＴＳパケットが、放送用コンテンツの映像データ、音声データ、制御データ等のいずれであるのか分類することができる。
【００３４】
また、ここでいう制御データとは、ＳＩ／ＰＳＩ（Service Information/Program Specific Information）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、ＴＳパケットには、放送局１０の意図に反する視聴を防止するための暗号化処理（以下、「スクランブル処理」という）が施されていてもよい。スクランブル処理の方式としては、たとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ１７には、上述した放送用コンテンツ１７ａが記憶されている。
【００３５】
ＥＰＧ情報作成部１４は、放送スケジュールＤＢ１８を参照してＥＰＧ情報を作成する機能を有する。放送スケジュールＤＢ１８には、放送局１０が放送する番組の放送スケジュール情報が記憶されている。なお、放送スケジュールＤＢ１８に、他の放送局１０が放送する番組の放送スケジュール情報が記憶されていてもよい。
【００３６】
ＭＵＸ部１６は、たとえば地上デジタルテレビジョン放送を送信する放送局１０においては、コンテンツストリーム作成部１３が放送用コンテンツＤＢ１７を参照して作成したコンテンツデータと、ＥＰＧ情報作成部１４が放送スケジュールＤＢ１８を参照して作成したＥＰＧ情報と、コンテンツストリーム作成部１３がデータ放送用コンテンツＤＢ１９を参照して作成したデータ放送番組データとを多重化した放送データを生成する。そして、当該放送データは、放送局１０のアンテナから放送波として送出される。
【００３７】
以上は、地上デジタルテレビジョン放送を送信する放送局１０の場合についてであるが、たとえばデジタル変調方式のラジオ放送を送信する放送局１０においても、地上デジタルテレビジョン放送を送信する放送局１０の場合と同様となっている。しかしながら、たとえばＢＳデジタルテレビジョン放送を送信する放送局１０においては、一定期間内の全てのＢＳデジタルテレビジョン放送のＥＰＧ情報が、放送データに含まれて送信される。同じく、ＣＳデジタルテレビジョン放送を放送する放送局１０においては、一定期間内の全てのＣＳデジタルテレビジョン放送のＥＰＧ情報が、放送データに含まれて送信される。これらＢＳデジタルテレビジョン放送を送信する放送局１０、およびＣＳデジタルテレビジョン放送を送信する放送局１０においては、放送スケジュールＤＢ１８が一定期間内の全てのＢＳデジタルテレビジョン放送のＥＰＧ情報を記憶するもの、または一定期間内の全てのＣＳデジタルテレビジョン放送のＥＰＧ情報を記憶するものとなっている。
【００３８】
また、たとえば地上アナログテレビジョン放送を送信する放送局１０のうち所定の放送局１０においては、一日のうちに所定の回数だけ、アナログテレビジョン放送の映像信号にＥＰＧ情報に対応するデータを重畳して送信している。地上アナログテレビジョン放送を送信する放送局１０の機能も、図２に示すものと同様となっている。
【００３９】
＜放送受信装置の構成＞
続いて、放送受信装置３０について説明する。図３は、図１に示す放送受信装置３０のブロック構成を示す図である。放送受信装置３０は、たとえばＴＶ放送やラジオ放送を受信する端末であり、固定されている受信端末であるか、携帯できる移動体端末であるかを問わない。また、放送受信装置３０は、放送局１０から受信した情報を、図示外の受像装置、図示外の音声再生装置へ出力する。なお、本実施形態に係る放送受信装置３０は、受像装置、音声再生装置とは別個の装置としている。しかし、これに限定するものではなく、放送受信装置３０、受像装置、音声再生装置が同じ筐体内に具備されるようなもの、例えばテレビセットとしてもよい。また、放送受信装置３０と受像装置とが同一の筐体内に具備され、音声再生装置だけが別の筐体内に具備されるような構成であっても良い。つまり、これら３つの放送受信装置３０、受像装置、音声再生装置をどのような装置内に具備するのかについては特に限定するものではない。また、放送受信装置３０には録画機能、録音機能を有していてもよい。
【００４０】
図３に示すように、放送受信装置３０は、受信アンテナ３１、操作入力部３２、制御部３３、チューナー３４、復調部３５、デマルチプレクサ部３６、ＡＶ（Audio Visual）デコーダ部３７、ＯＳＤ（On Screen Display）部３８、映像出力部３９、ＤＡ（Digital to Analog）部４０、音声出力部４１、記憶部４２などを有している。
【００４１】
受信アンテナ３１は、デジタル放送等の放送電波を受信する。操作入力部３２は、たとえばリモコンやタッチパネルで構成されるが、音声入力等ができるように構成されてもよい。また、操作入力部３２は、ユーザからの操作入力を受け付けて、制御部３３へユーザの指示を伝える。ユーザは、この操作入力部３２を操作することで、放送受信装置３０への操作入力を行うことができる。なお、放送受信装置３０への操作入力は、赤外線などの無線信号（操作信号）を介して放送受信装置３０内に設けられた操作入力部３２に入力されるようにしてもよい。操作入力部３２に入力された操作信号は、不図示のバスを介して制御部３３に入力される。
【００４２】
制御部３３は、番組表作成手段に対応し、操作入力部３２に入力された操作信号を解析し、放送受信装置３０を構成する各部もしくはその一部の動作を制御する中央演算処理装置である。例えば、ユーザが操作入力部３２を用いてチャンネルの選局指示を入力すると、この選局指示内容を示す信号が、操作入力部３２および不図示のバスを介して制御部３３に入力される。これにより制御部３３は、不図示のバスを介してチューナー３４に対して、ユーザが選局したチャンネルへの選局指示を送信する。
【００４３】
また、制御部３３は、ＡＶデコーダ部３７によってデコードされ、記憶部４２に一時的に記憶させられている各放送局１０の番組データを所定のタイミング毎に読み出して、それぞれの番組データに基づいて、後述する図４等に示されるような番組表情報を作成する。そして、作成された番組表情報は、再び記憶部４２に記憶させられる。
【００４４】
なお、制御部３３は、たとえば記憶部４２に記憶されている放送局１０のリストデータに基づいて、各放送局１０の所定期間内の番組データを受信したか否かを判定する機能を併せて有していても良い。この機能を有する場合、制御部３３は、いずれかの放送局１０の所定期間内のうち、いずれかの時間の番組データを受信していないものがある場合、ユーザの番組の視聴に影響を与えない態様にて、チューナー３４を制御して、その放送局１０のＥＰＧ情報を取得するようにする。このようにすれば、後述する図４〜図１０に示すような番組表情報が、各放送局１０を網羅した状態で作成される。
【００４５】
ここで、制御部３３は、たとえば不図示のハードウェア資源であるＣＰＵなどで構成されており、記憶部４２の有するＲＯＭ、または記憶部４２が有しない別途のＲＯＭなどに格納されている各種プログラムを、記憶部４２の有するＲＡＭ、または記憶部４２が有しない別途のＲＡＭに読み出して、各種演算処理を協働して実行することで、放送受信装置３０の各部の機能が行う情報処理を実現することができる。
【００４６】
なお、それぞれの番組データは時間情報と番組タイトル情報とを少なくとも有することから、制御部３３が番組表情報を作成する場合、番組データから時間情報の中の開始時間情報と番組タイトル情報とを抜き出して、後述する番組表情報の番組情報欄Ｆ２に貼り付けられる。ここで、番組表情報の番組情報欄Ｆ２には、開始時間情報と番組タイトル情報とが、開始時間順に上から下へとソートされることで、図４〜図１０に示すような構成されている。なお、番組データは、時間情報と番組タイトル情報以外に、ＳＩ（Service Information）情報（公式番組情報）を有しているが、有していなくても良い。
【００４７】
チューナー３４は、受信アンテナ３１による受信信号を中間周波数信号へ変換する。なお、チューナー３４は地上デジタルテレビジョン放送を受信するものと、ＢＳデジタルテレビジョン放送を受信するものと、ＣＳデジタルテレビジョン放送を受信するものと、上述した各種のラジオ放送とを受信するものとがそれぞれ設けられている。しかしながら、チューナー３４は、他の方式の各種の放送を受信するものであっても良い。また、チューナー３４は、同一の方式を受信するものが２つ以上設けられている構成であっても良い。
【００４８】
復調部３５は、たとえばＯＦＤＭ（Orthogonal Frequency Division Multiplex：直交周波数分割多重）方式によって分割多重された信号から中間周波数信号を復調し、１つの放送チャンネルのベースバンド信号を生成する。
【００４９】
デマルチプレクサ部３６は、チューナー３４から出力されたＴＳパケットからなるＴＳ信号（つまり、送信側の放送送信装置１１のＭＵＸ部１６で映像や音声などの複数のストリームを多重化した放送データ）を、映像や音声などのストリームデータと、ＳＩ／ＰＳＩなどのセクション形式のデータとに分離する処理を行う。なお、デマルチプレクサ部３６によって分離された各データは、制御部３３の指示にしたがい、ＡＶデコーダ部３７に供給される。      
【００５０】
ＡＶデコーダ部３７は、制御部３３の指示にしたがい、放送用コンテンツ１７ａやＥＰＧ情報、データ放送などをデコードする。また、ＡＶデコーダ部３７は、デコードしたこれらのデータを記憶部４２に供給する。なお、ＡＶデコーダ部３７が記憶部４２に供給するデータは、映像信号、音声信号としてデコードせずに、データ信号としてそのまま供給するようにしてもよい。
【００５１】
また、ＡＶデコーダ部３７は、上述した放送用コンテンツ１７ａやＥＰＧ情報、データ放送などに対してデコードを行って、それぞれオーディオデータ、ビデオデータ、番組データを生成する。デコードされたオーディオデータは、ＤＡ部４０に供給され、またデコードされたビデオデータはＯＳＤ部３８に供給される。また、ＡＶデコーダ部３７は、デコードされた番組データを記憶部４２に一時的に記憶させる。
【００５２】
また、ＯＳＤ部３８は、ＡＶデコーダ部３７により生成された映像信号をそのまま映像出力部３９へ出力したり、ＡＶデコーダ部３７により生成された映像信号にＯＳＤ画面を重ねた映像信号を映像出力部３９へ出力したりする。
【００５３】
また、ＤＡ部４０は、ＡＶデコーダ部３７により生成された音声信号を音声出力部４１へ出力する。
【００５４】
また、記憶部４２は、各放送局１０の番組データを記憶する領域と、制御部３３によって編集（作成）された番組表情報を記憶する領域とを有している。この記憶部４２は、ＲＡＭ、ＲＯＭ、ＨＤＤ、フラッシュメモリ等が対応する。
【００５５】
このようにして、映像出力部３９に接続される図示外の受像装置（表示部位に対応）に、デマルチプレクサ部３６により選択された映像が表示され、音声出力部４１に接続される図示外のスピーカシステムから、デマルチプレクサ部３６により選択された音声が出力される。
【００５６】
＜放送受信装置の表示装置が表示する番組表について＞
続いて、放送受信装置３０が行う動作について、図４から図１０に基づいて説明する。放送受信装置３０の制御部３３は、記憶部４２に記憶させられている番組データに基づいて、映像出力部３９に表示される場合に図４〜図１０のように表示される番組表で示される番組表情報を作成する。以下、番組表情報が映像出力部３９に表示されたものを、番組表表示とする。
【００５７】
番組表情報が映像出力部３９に表示された番組表表示の構造には、以下のような特徴がある。
【００５８】
＜１．図４に示す番組表表示の場合＞
図４に示す番組表表示は、縦軸（図４におけるＹ軸）に放送時間を割り当てている１軸表示となっている。このため、操作入力部３２を操作することにより、番組表表示は、図５に示すように、Ｙ軸に沿ってスクロールする状態となる。すなわち、番組表表示において現在表示されていない番組を探す場合には、操作入力部３２を操作して、番組表表示をＹ軸に沿ってスクロールさせる。
【００５９】
図４においては、縦軸（Ｙ軸）には、放送開始の時間順に、開始時間情報に基づく開始時間表示Ｓ１と、当該開始時間表示Ｓ１に対応すると共に番組タイトル情報に基づく番組タイトル表示Ｓ２とが、その開始時間表示Ｓ１に対して横（Ｘ軸）に並べられる配置となっている。そのため、放送開始時間さえ把握しておけば、目的とする番組を容易に見つけ出し、目的とする番組を選択することが可能となる。
【００６０】
また、図４に示す番組表表示では、たとえば放送開始時間が８時台であるのか、９時台であるのかを示す開始時間単位欄Ｆ１と、開始時間表示Ｓ１と番組タイトル表示Ｓ２とが示される番組情報欄Ｆ２とを有している。なお、開始時間単位欄Ｆ１は、たとえば１時間単位ごとというように、所定の時間ごとに区切られたものとなっているが、この時間ごとの区切りは、１時間ごとには限られず、たとえば３０分ごと、１５分ごと、２時間ごと、午前または午後等のように、種々の時間単位としても良い。また、開始時間単位欄Ｆ１と番組情報欄Ｆ２とは、横軸（図４におけるＸ軸）に並べられて配置しているが、欄の数が２つのみであり、また開始時間単位欄Ｆ１が映像出力部３９に表示される場合に画面上で占有する幅は、番組情報欄Ｆ２が画面上で占有する場合と比較して圧倒的に小さいので、ユーザが番組表表示を横軸に沿ってスクロールさせる、という動作を行う必要がない。
【００６１】
また、図４に示す番組表表示においては、ユーザが操作入力部３２を用いて操作することにより、番組タイトルを選択することを可能としている。そして、この選択を行うこと、または一度選択を行ってから操作入力部３２のボタンを押す等で再び同じ番組タイトルを選択する場合には、視聴チャンネルを切り替えたり、または録画予約を行うことを可能としている。
【００６２】
＜２．図６に示す番組表表示の場合＞
図６に示す番組表表示は、インデント機能を用いたものとなっている。すなわち、図６に示す番組表表示では、番組情報欄Ｆ２の開始時間表示Ｓ１と番組タイトル表示Ｓ２とが、放送開始時間に応じて、Ｘ軸方向に字下げされる。図６に示すものでは、単位時間内のうち、放送開始時間が遅くなると、それよりも放送開始時間が早いものに対して所定の分だけ、字下げされた状態で、開始時間表示Ｓ１と番組タイトル表示Ｓ２とが表示される。すなわち、図６に示す番組表表示では、番組情報欄Ｆ２に字下げ部Ｓ３が存在している。
【００６３】
なお、図６に示すように、放送開始時間が遅いものが、それよりも放送開始時間が早いものに対して所定だけ、字下げされる構成とはせずに、同じ放送開始時間のもののうちで、開始時間表示Ｓ１と番組タイトル表示Ｓ２とを字下げして表示するようにしても良い。
【００６４】
＜３．図７に示す番組表表示の場合＞
図７に示す番組表表示は、全ての番組の中から、特定のジャンルの番組を絞り込んだものを表示させたものとなっている。すなわち、記憶部４２に記憶されている全ての番組データにそれぞれ含まれているＳＩ情報に基づいて、制御部３３は、番組データに対応する番組が、たとえば「バラエティ」という特定のジャンルに相当するものであるか否かを判定する。そして、制御部３３は、特定のジャンルに相当する番組データのみから、番組表情報を作成し、その番組表情報が映像出力部３９に表示されたものが、図７に示す番組表表示となっている。
【００６５】
なお、図７に示す番組表表示も、図４等に示す番組表表示と同様に、開始時間単位欄Ｆ１と、番組情報欄Ｆ２とを有している。また、図７に示す番組表表示も、図４等に示す番組表表示と同様に、縦軸（図７におけるＹ軸）に放送時間を割り当てている１軸表示となっていて、縦軸（Ｙ軸）には、放送開始の時間順に、開始時間情報に基づく開始時間表示Ｓ１と、当該開始時間表示Ｓ１に対応すると共に番組タイトル情報に基づく番組タイトル表示Ｓ２とが、その開始時間表示Ｓ１に対して横（Ｘ軸）に並べられる配置となっている。また、図７に示す番組表表示においても、字下げ部Ｓ３が存在している。
【００６６】
＜４．図８に示す番組表表示の場合＞
図８に示す番組表表示は、図４等に示す番組表表示と多くの部分が共通となっている。しかしながら、図８に示す番組表表示は、番組情報欄Ｆ２における表示が、図４等に示すものとは異なっている。この図８に示す番組表表示の番組情報欄Ｆ２は、同一開始時間の番組データについては、開始時間表示Ｓ１と番組タイトル表示Ｓ２とで１つのセル表示Ｓ４（タブ表示）をなし、そのセル表示Ｓ４が横方向（Ｘ軸方向）に沿って並ぶ状態で配置されている。
【００６７】
ところで、図８に示すものでは、１つのセル表示Ｓ４には、開始時間表示Ｓ１と番組タイトル表示Ｓ２との全てを表示させるだけのスペースがないことが多い。そのため、操作入力部３２の操作により特定の番組タイトルを選択すると、開始時間表示Ｓ１と番組タイトル表示Ｓ２との全てを表示させるようなウィンドウ（または吹き出し）等が表示されるようにしても良い。なお、同一開始時間の番組データが多く、Ｘ軸方向における全てのスペースを使い切ってしまう場合には、Ｙ軸方向に沿って下の段に、開始時間表示Ｓ１と番組タイトル表示Ｓ２とが表示されるセル表示Ｓ４を並べるようにしても良く、また当該セル表示Ｓ４のＸ軸方向における長さ寸法が小さくなるようにしても良い。
【００６８】
＜５．図９に示す番組表表示の場合＞
図９に示す番組表表示は、それぞれの日付ごとの番組情報欄Ｆ２が、日付順にＸ軸方向に沿って並べられている構成となっている。たとえば映像出力部３９の表示部位が、Ｘ軸方向におけるスペースに余裕があるものである場合、複数（２つ以上）の日付の番組情報欄Ｆ２を、一度に表示させることが可能となる。ただし、映像出力部３９の表示部位が、Ｘ軸方向におけるスペースにさほど余裕がないものの場合、１つの日付の番組情報欄Ｆ２のみを映像出力部３９の表示部位に表示させるようにしても良い。その場合でも、概念的には、日付ごとの番組情報欄Ｆ２が、日付順にＸ軸方向に沿って並べられている構成とすることは勿論可能であり、たとえば操作入力部３２の操作によって、Ｘ軸方向に沿ってスクロールする表示態様としても良い。また、上記のようにＸ軸方向に沿ってスクロールする表示態様とはせずに、操作入力部３２の操作を行う度に、新たな日付の番組情報欄Ｆ２が瞬時に表示されるものとしても良い。
【００６９】
ここで、図９に示す番組表表示は、１つの開始時間単位欄Ｆ１と、複数の番組情報欄Ｆ２とから構成されている。なお、図９に示す番組表表示では、日付ごとの番組情報欄Ｆ２が、日付順にＸ軸方向に沿って並べられている構成となっているが、日付ごとの番組情報欄Ｆ２が、日付順にＹ軸方向に沿って並べられている構成を採用しても良い。その場合には、Ｘ軸には、放送開始の時間順に、開始時間表示Ｓ１と番組タイトル表示Ｓ２とが配置される構成となる。なお、図９に示す番組表表示においては、番組情報欄Ｆ２よりも上方に日付を示す日付欄Ｆ３が存在している。
【００７０】
＜６．図１０に示す番組表表示の場合＞
図１０に示す番組表表示は、図６に示すような番組表表示の番組情報欄Ｆ２が、日付順にＸ軸方向に沿って並べられている構成となっている。なお、図１０に示す番組表表示においても、番組情報欄Ｆ２よりも上方に日付を示す日付欄Ｆ３が存在している。それ以外の部分については、上記と同様であるため、その詳細についての説明は省略する。
【００７１】
＜効果＞
以上のような構成の情報配信システム１（放送受信装置３０）によると、所望する番組を容易に探すことが可能となる。特に、Ｙ軸方向という１軸方向に沿って、放送開始の時間順に、開始時間情報に基づく開始時間表示Ｓ１と、当該開始時間表示Ｓ１に対応すると共に番組タイトル情報に基づく番組タイトル表示Ｓ２とが、その開始時間表示Ｓ１に対して横（Ｘ軸）に並べられる配置となっている。そのため、操作入力部３２を操作する場合、受像装置では、Ｙ軸方向にのみスクロールするため、操作性が向上する。
【００７２】
ここで、従来の番組表表示の一例を、図１１に示す。従来の番組表表示においては、縦軸（Ｙ軸）には放送時間の時間軸、横軸（Ｘ軸）には放送局が並ぶ配置となっている。このため、お目当ての番組を探す場合には、放送局を意識する必要があり、加えて放送される放送局が分からない場合には、お目当ての番組が探し難くなっている。また、図１１に示されるような番組表表示では、たとえば、テレビ番組の表示を前提としているが、たとえばテレビ番組とラジオ番組というような、異なる複数のメディアを混在させて表示させることは難しくなっている。また、テレビ番組であっても、地上デジタルテレビジョン放送、ＢＳデジタルテレビジョン放送、ＣＳデジタルテレビジョン放送というように、複数のサービスを扱う場合、放送局数が多くなり、表示が煩雑となると共に、お目当ての番組を探すための操作が煩雑なものとなる。
【００７３】
これに対して、本実施の形態における放送受信装置３０においては、たとえば地上デジタルテレビジョン放送、ＢＳデジタルテレビジョン放送、ＣＳデジタルテレビジョン放送、地上デジタル音声放送、ＢＳデジタル音声放送、ＣＳデジタル音声放送、振幅変調（ＡＭ）方式のラジオ放送、周波数変調（ＦＭ）方式のラジオ放送等、異なる複数のメディアおよび／または異なる複数のサービスの番組を容易に表示させることが可能となる。
【００７４】
また、本実施の形態における放送受信装置３０では、お目当ての番組の放送局１０が分からない場合であっても、放送時間が判明していれば、お目当ての番組を容易に探し出すことが可能となる。同様に、本実施の形態における放送受信装置３０においては、放送局１０を意識しなくても、お目当ての番組を、番組表表示から探し出すことが可能となる。
【００７５】
また、図４〜図１０に示す番組表表示においては、放送開始の時間順に、開始時間表示Ｓ１と番組タイトル表示Ｓ２とが並べられる配置となっているので、同一日時に放送を開始する番組の確認を容易に行うことが可能となる。
【００７６】
また、本実施の形態の放送受信装置３０は、図５に示すようにＹ軸方向に沿うスクロールのみでお目当ての番組が探せ、またＹ軸方向に沿うスクロールのみで全ての番組に関する情報を表示させることが可能となる。このため、据え置き型のテレビ受像装置と比較して小さな表示部位（特にＸ軸方向（幅方向）の寸法が小さなもの）を有するテレビ受像装置に、好適なものとなっている。
【００７７】
さらに、図６に示すように、番組表表示がインデント表示（字下げ部Ｓ３を有する状態の表示）される場合、たとえば同一時間帯において、遅い時間に放送開始となる番組ほど、図６において右よりに表示される等の表示態様とすることができる。それにより、お目当ての番組の放送開始時間が判別していれば、即座にその番組を探すことが可能となる。そのため、視認性に優れたものとすることができる。
【００７８】
また、図７に示すように、ＳＩ情報に基づいて、番組が特定のジャンルに相当するものであるか否かを判定する場合、番組表表示に表示される開始時間表示Ｓ１と番組タイトル表示Ｓ２の個数を少なくすることが可能となり、お目当ての番組を一層容易に探し出すことが可能となる。
【００７９】
さらに、図８に示すように、同一開始時間の番組データについては、開始時間表示Ｓ１と番組タイトル表示Ｓ２とで１つのセル表示Ｓ４（タブ表示）をなし、そのセル表示Ｓ４が横方向（Ｘ軸方向）に沿って並ぶ状態で配置される構成を採用する場合、Ｙ方向においては同一開始時間で区切られて番組が並べられるので、番組表表示はＹ方向におけるスクロールの量を小さくすることが可能となる。
【００８０】
また、図９および図１０に示すように、番組表表示が有する番組情報欄Ｆ２が、日付順に存在する場合、所望する日付の番組表表示を表示させることにより、ユーザの利便性を向上させることが可能となる。また、表示部位にスペース的な余裕がある場合には、複数の日付の番組情報欄Ｆ２を表示させることが可能となる。また、このような構成を採用すると、表示部位のスペースに応じて、どれぐらいの日付の番組情報欄Ｆ２を表示させるのかを自在に設定可能となる。
【００８１】
＜変形例＞
以上、本発明の一実施の形態に係る情報配信システム１（放送受信装置３０）について説明したが、本発明は、これ以外にも種々変形可能である。以下、それについて説明する。
【００８２】
上述の実施の形態においては、放送局１０は、放送波にデータ放送、ＥＰＧ（Electronic Program Guide）情報を重畳して送出することができる放送送信装置１１を備える構成を採用している。しかしながら、このような構成とはせずに、ネットワーク（たとえばＩＰ通信網）を経由してＥＰＧ情報を送信する放送局サーバを備える構成を採用しても良い。このとき、放送局サーバは、放送局１０が備えていても良く、また放送局サーバが別個に独立して存在していても良い。
【００８３】
なお、放送局サーバは、上述の放送スケジュールＤＢ１８と同様の放送スケジュールＤＢを具備する構成となる。この放送スケジュールＤＢは、当該放送局サーバが備える制御部（ＣＰＵ、ＲＯＭ、ＲＡＭ、ＨＤＤ等の協働によって実現される、情報送信の制御を行うもの）での制御に基づいて、当該放送局サーバが備えるネットワーク接続部（ネットワークに接続して情報の送受信を行う部分）を介して、ネットワーク経由で放送受信装置に送信される。
【００８４】
また、このとき、放送受信装置は、上述した図２の構成に加えて、ネットワークに接続して情報の送受信を行うためのネットワーク接続部を備え、さらにネットワーク接続部で受信した情報を制御部３３の指示にしたがってデコードするネットワーク情報デコード部を具備している。そして、ネットワーク情報デコード部でデコードされた情報は上述の記憶部４２に記憶され、制御部３３での処理により、上述したような、図４〜図１０に示す番組表表示にて示される番組表情報が作成される。
【００８５】
また、上述の実施の形態では、番組表表示においては、着色等の付与に関して説明は為されていないものの、当該番組表表示において、たとえば放送局１０ごとに色分けして表示されるようにしても良く、番組を提供するメディアの相違、および／または放送（番組）を提供するサービスの相違に応じて、色分けして表示するようにしても良い。なお、色分けして表示する以外に、その他、下線を引く、太字で表示する、イタリック体で表示する、フォントを変える、その他の強調表示にて表示する等を組み合わせるようにしても良い。
【００８６】
また、上述の実施の形態における番組表表示を、ユーザが自在にカスタマイズ可能としても良い。その場合、カスタマイズした結果を記憶部４２に記憶させて、次回からの番組表表示にも反映させるようにしても良い。
【００８７】
また、上述した各実施形態に係る情報配信システム１（放送受信装置３０）で説明した各部の機能すべてまたは一部をプログラムによって構成し、このプログラムを情報処理装置（放送受信装置３０）にインストールすることで実現してもよい。具体的には、コンピュータとして機能させるためにプログラムとすることができる。なお、このプログラムを実行可能な状態で記録した媒体からコンピュータに直接インストールすることも可能であるが、ネットワーク経由で遠隔にあるコンピュータにインストールしてもよい。
【００８８】
なお、上述した番組表情報を作成する機能は、放送受信装置３０以外が具現するものであっても良い。放送受信装置３０以外の機器としては、コンピュータ、カーナビゲーション装置、携帯型情報端末等が挙げられる。
【産業上の利用可能性】
【００８９】
本発明の光ディスク搬送機構および光ディスク再生装置は、各種の電気機器の分野において利用することができる。
【符号の説明】
【００９０】
１０…放送局
１１…放送送信装置
１２…制御部
１４…ＥＰＧ情報作成部
１６…ＭＵＸ部
１８…放送スケジュールＤＢ
３０…放送受信装置（情報処理装置に対応）
３２…操作入力部
３３…制御部（番組表作成手段に対応）
３４…チューナー
３５…復調部
３６…デマルチプレクサ部
３７…ＡＶデコーダ部
３８…ＯＳＤ部
３９…映像出力部
４０…音声出力部
４１…音声出力部
４２…記憶部
Ｆ１…開始時間単位欄
Ｆ２…番組情報欄
Ｆ３…日付欄
Ｓ１…開始時間表示
Ｓ２…番組タイトル表示
Ｓ３…字下げ部
Ｓ４…セル表示
【図１】
2011010130.tif 000003
【図２】
2011010130.tif 000004
【図３】
2011010130.tif 000005
【図４】
2011010130.tif 000006
【図５】
2011010130.tif 000007
【図６】
2011010130.tif 000008
【図７】
2011010130.tif 000009
【図８】
2011010130.tif 000010
【図９】
2011010130.tif 000011
【図１０】
2011010130.tif 000012
【図１１】
2011010130.tif 000013